(57)【要約】【課題】  現在日から生涯日までの予定や日記をエクセルのシートを用いてすべて表示及び記載して豊な人生設計を送るための生涯予定・日記帳を提供する。【解決手段】  エクセルのシートを用いて現在日から生涯日までの各種の行事等を予め記載すると共に空欄に日記を生涯日まで記載する。また、コメント指示部２を用いてシート内に記載できなかった多くの文字を記載して記録ができる。【選択図】  図２
0003158380.tif 000002
【実用新案登録請求の範囲】
【請求項１】
自分の推定又は希望する生涯日を定め、現在日から前記生涯日までの年，月，日，曜日とこれ等に対応する予定や日記を記載するスペースを設けた予定・日記帳であって、前記スペースがエクセルのシートを用いたものからなることを特徴とする生涯予定・日記帳。
【請求項２】
エクセルのシートの横軸の上欄には月，日，曜日及び年を表示し、縦軸の欄には１月から１２月と夫々の月に対応する日及び夫々の年，月，日に対応する曜日が予め表示され、他の空白のシートには現在日から生涯日までの各種予定が予め表示されることを特徴とする請求項１に記載の生涯予定・日記帳。
【請求項３】
前記各種予定が、誕生日，結婚記念日，先祖の墓参り日，供養日，子供に関する行事，自己の行事や目標項目，旅行，定年，各種の婚日等の生涯計画に関するものからなることを特徴とする請求項２に記載の生涯予定・日記帳。
【請求項４】
エクセルのシート内に記載されない多数の文字を記載記録するコメント欄が設けられることを特徴とする請求項１乃至３のいずれかに記載の生涯予定・日記帳。
【考案の詳細な説明】
【技術分野】
【０００１】
本考案は、自己の予定・日記帳に係り、特に現在日から生涯日までの予定の表示やその間に生じた各種の日記を記載できるエクセルのシートを用いた生涯予定・日記帳に関する。
【背景技術】
【０００２】
自己の予定や日記を記載する手帳としては目的に対応して各種のものが従来より存在している。この手帳の殆どのものがその年間における予定や日記を記載する形式のものであり、長期間にわたる予定や日記を記載できるコンパクトのものは珍しい。この珍しい手帳として「特許文献１」や「特許文献２」が挙げられる。
【先行技術文献】
【特許文献】
【０００３】
【特許文献１】実開平７−１７５６５号（第２図）
【特許文献２】実開平５−６８６７０号（図１）
【考案の概要】
【考案が解決しようとする課題】
【０００４】
「特許文献１」の「実開平７−１７５６５号」の「長期記録保存型日記帳」は一冊で５０年間以上を記録して保存できる日記帳であり、１頁で１ヵ月記録できる区分とし１年間を１２頁のものとし、５０年間で６００頁のものからなる。また、装丁も６００頁に耐えるものからなる。以上のようにそれ自体として特徴があるが、生涯に関するものではなく、頁厚もあり、取扱性が悪いと共に予定を予め記載表示するものではなく、後に詳しく説明する本考案とは大きく相異するものである。
また、「特許文献２」の「実開平５−６８６７０号」の「多年用日記帳」は日記帳の１頁に当日の記事が１０年間一括して書き込まれると共に辺部に特記欄を設けたものであり、３６５日分の厚みのものからなり、やはり膨大なものである。また、生涯に関するものでなく、予め予定を表示するものではなく、前記の「特許文献１」と同じく本考案とは大きく相異するものである。
【０００５】
本人にとって生涯の予定と現在日から生涯日までの各種の日記を記載することができる簡便なものがあれば極めて便利であり、人生設計を俯瞰的に見ることができ、計画的で軌道修正可能の豊な人生を送ることができる。この点についてはエクセルを用いることによりコンパクトの方法で生涯日までの予定や日記を記載する欄を設けることができ、コメント欄を設けることにより、多くの文字を記載することが可能となる。  
【０００６】
本考案は、以上の事情に鑑みて考案されたものであり、自分の生涯を見通した人生設計が可能であり、常に長期的な観点から自分の人生の点検ができ、軌道修正も可能であり、無計画でその場限りの人生設計からの脱皮ができ、有意義の人生と寿命の向上が図れる生涯予定・日記帳を提供することを目的とする。
【課題を解決するための手段】
【０００７】
本考案は、以上の目的を達成するために、請求項１の考案は、自分の推定又は希望する生涯日を定め、現在日から前記生涯日までの年，月，日，曜日とこれ等に対応する予定や日記を記載するスペースを設けた予定・日記帳であって、前記スペースがエクセルのシートを用いたものからなることを特徴とする。
【０００８】
また、請求項２の考案は、エクセルのシートの横軸の上欄には月，日，曜日及び年を表示し、縦軸の欄には１月から１２月と夫々の月に対応する日及び夫々の年，月，日に対応する曜日が予め表示され、他の空白のシートには現在日から生涯日までの各種予定が予め表示されることを特徴とする。
【０００９】
また、請求項３の考案は、前記各種予定が、誕生日，結婚記念日，先祖の墓参り日，供養日，子供に関する行事，自己の行事や目標項目，施行，定年，各種の婚日等の生涯計画に関するものからなることを特徴とする。
【００１０】
また、請求項４の考案は、エクセルのシート内に記載されない多数の文字を記載記録するコメント欄が設けられることを特徴とする。
【考案の効果】
【００１１】
本考案の請求項１の生涯予定・日記帳によれば、エクセルのシートを用いることにより現在日から生涯日までの予定をすべて記載表示することができ、人生設計が計画的にできると共に計画に対する反省や修正も可能になり、かつ保存手帳としてのコンパクト化ができ、日記の記載も容易にできる効果を上げることができる。
【００１２】
また、請求項２の生涯予定・日記帳によれば、エクセルにおける具体的の記載欄の明示が可能となり、洩れのない予定や日記を記載できる効果が上げられる。
【００１３】
また、請求項３の生涯予定・日記帳によれば、予定の内容の一部が明示され、予定作成におけるヒントを与えることができる。
【００１４】
また、請求項４の生涯予定・日記帳によれば、通常のエクセルのシート内に記載できない多くの文字や内容等をコメント欄を設けることによりコンパクトにまとめることができる効果を上げることができる。
【図面の簡単な説明】
【００１５】
【図１】本考案の生涯予定・日記帳の内容を示す略図的シート。
【図２】本考案の具体的の１つを示す略図的シート。
【考案を実施するための形態】
【００１６】
以下、本考案の生涯予定・日記帳の実施の形態を図面を参考にして詳述する。
図１は本考案の生涯予定・日記帳１の予定や日記が記載されていないエクセルにおけるシートを示す図である。図示のように、このシートの上段の横軸には月，日及び曜日と年が記載され、縦軸には１月から１２月までと夫々の月に対応する日と夫々の年における曜日が予め表示されている。
図１は略式的のものであるが、エクセルでこのような記載表示を予め作成することは容易である。また、枠外には「コメント指示部２」が設けられ、この指示を与えることにより隠れた文字や内容を簡単に表示することができる。なお、このコメント指示部２はパソコンとしては容易に作成できる。
以上により、現在日から生涯日までの予定や日記をエクセルを用いて容易に表示や記載ができ、コンパクトにまとめることができる。
【実施例１】
【００１７】
図２は図１のシートを用いた具体例を示すものであり、勿論、略式のものである。図示のように各種の予定が予め表示される。なお、日中における○，△，×，◎等は日記を表示するものである。
【００１８】
本考案は、以上の内容のものからなるが、予定の内容や日記の表示内容等に関しては以上の説明に限定するものではなく、各種多様のものが適用されることは勿論である。また、同一の技術的範疇のものが適用されることは勿論である。
【産業上の利用可能性】
【００１９】
本考案は、自己の予定や日記に関するもののみではなく、家族や団体等に対しても適用可能であり、その利用範囲は広い。
【符号の説明】
【００２０】
１  生涯予定・日記帳
２  コメント指示部
【図１】
0003158380.tif 000003
【図２】
0003158380.tif 000004
【手続補正書】
【提出日】平成22年1月20日(2010.1.20)
【手続補正１】
【補正対象書類名】実用新案登録請求の範囲
【補正対象項目名】全文
【補正方法】変更
【補正の内容】
【実用新案登録請求の範囲】
【請求項１】
自分の推定又は希望する生涯日を定め、現在日から前記生涯日までの年，月，日，曜日とこれ等に対応する予定や日記を記載するスペースを設けた予定・日記帳であって、該予定・日記帳は、前記スペースがエクセル（登録商標）のシートからなり、前記シートを印刷してなる一枚のシート印刷物から形成され、前記エクセル（登録商標）のシートの横軸の上欄には年が、縦軸の欄には１月から１２月と夫々の月に対応する日及び夫々の年，月，日に対応する曜日とが表示されており、年，月，日が表示されていないシートの空白の部分には現在日から生涯日までの各種予定や日記が表示されることを特徴とする生涯予定・日記帳。
【請求項２】
前記各種予定が、誕生日，結婚記念日，先祖の墓参り日，供養日，子供に関する行事，自己の行事や目標項目，旅行，定年，各種の婚日等の生涯計画に関するものからなることを特徴とする請求項１に記載の生涯予定・日記帳。
【手続補正２】
【補正対象書類名】明細書
【補正対象項目名】全文
【補正方法】変更
【補正の内容】
【考案の詳細な説明】
【技術分野】
【０００１】
本考案は、自己の予定・日記帳に係り、特に現在日から生涯日までの予定の表示やその間に生じた各種の日記を記載できるエクセル（登録商標）のシートを用いた生涯予定・日記帳に関する。
【背景技術】
【０００２】
自己の予定や日記を記載する手帳としては目的に対応して各種のものが従来より存在している。この手帳の殆どのものがその年間における予定や日記を記載する形式のものであり、長期間にわたる予定や日記を記載できるコンパクトのものは珍しい。この珍しい手帳として「特許文献１」や「特許文献２」が挙げられる。
【先行技術文献】
【特許文献】
【０００３】
【特許文献１】実開平７−１７５６５号（第２図）
【特許文献２】実開平５−６８６７０号（図１）
【考案の概要】
【考案が解決しようとする課題】
【０００４】
「特許文献１」の「実開平７−１７５６５号」の「長期記録保存型日記帳」は一冊で５０年間以上を記録して保存できる日記帳であり、１頁で１ヵ月記録できる区分とし１年間を１２頁のものとし、５０年間で６００頁のものからなる。また、装丁も６００頁に耐えるものからなる。以上のようにそれ自体として特徴があるが、生涯に関するものではなく、頁厚もあり、取扱性が悪いと共に予定を予め記載表示するものではなく、後に詳しく説明する本考案とは大きく相異するものである。
また、「特許文献２」の「実開平５−６８６７０号」の「多年用日記帳」は日記帳の１頁に当日の記事が１０年間一括して書き込まれると共に辺部に特記欄を設けたものであり、３６５日分の厚みのものからなり、やはり膨大なものである。また、生涯に関するものでなく、予め予定を表示するものではなく、前記の「特許文献１」と同じく本考案とは大きく相異するものである。
【０００５】
本人にとって生涯の予定と現在日から生涯日までの各種の日記を記載することができる簡便なものがあれば極めて便利であり、人生設計を俯瞰的に見ることができ、計画的で軌道修正可能の豊な人生を送ることができる。この点についてはエクセル（登録商標）を用いることによりコンパクトの方法で生涯日までの予定や日記を記載する欄を設けることができ、コメント欄を設けることにより、多くの文字を記載することが可能となる。
【０００６】
本考案は、以上の事情に鑑みて考案されたものであり、自分の生涯を見通した人生設計が可能であり、常に長期的な観点から自分の人生の点検ができ、軌道修正も可能であり、無計画でその場限りの人生設計からの脱皮ができ、有意義の人生と寿命の向上が図れる生涯予定・日記帳を提供することを目的とする。
【課題を解決するための手段】
【０００７】
本考案は、以上の目的を達成するために、請求項１の考案は、自分の推定又は希望する生涯日を定め、現在日から前記生涯日までの年，月，日，曜日とこれ等に対応する予定や日記を記載するスペースを設けた予定・日記帳であって、該予定・日記帳は、前記スペースがエクセル（登録商標）のシートからなり、前記シートを印刷してなる一枚のシート印刷物から形成され、前記エクセル（登録商標）のシートの横軸の上欄には年が、縦軸の欄には１月から１２月と夫々の月に対応する日及び夫々の年，月，日に対応する曜日とが表示されており、年，月，日が表示されていないシートの空白の部分には現在日から生涯日までの各種予定や日記が表示されることを特徴とする。
【０００８】
また、請求項２の考案は、前記各種予定が、誕生日，結婚記念日，先祖の墓参り日，供養日，子供に関する行事，自己の行事や目標項目，施行，定年，各種の婚日等の生涯計画に関するものからなることを特徴とする。
【考案の効果】
【０００９】
本考案の請求項１の生涯予定・日記帳によれば、エクセル（登録商標）のシートを用いることにより現在日から生涯日までの予定をすべて記載表示することができ、人生設計が計画的にできると共に計画に対する反省や修正も可能になり、かつ保存手帳としての一枚のシート印刷物からなりコンパクト化ができ、日記の記載も容易にできる効果を上げることができる。
【００１０】
また、請求項２の生涯予定・日記帳によれば、予定の内容の一部が明示され、予定作成におけるヒントを与えることができる。
【図面の簡単な説明】
【００１１】
【図１】本考案の生涯予定・日記帳の内容を示す略図的シート。
【図２】本考案の具体的の１つを示す略図的シート。
【考案を実施するための形態】
【００１２】
以下、本考案の生涯予定・日記帳の実施の形態を図面を参考にして詳述する。
図１は本考案の生涯予定・日記帳１の予定や日記が記載されていないエクセル（登録商標）におけるシートを示す図である。図示のように、このシートの上段の横軸には月，日及び曜日と年が記載され、縦軸には１月から１２月までと夫々の月に対応する日と夫々の年における曜日が表示されている。
図１は略式的のものであるが、エクセル（登録商標）でこのような記載表示を一枚のシート印刷物として予め作成することは容易である。
以上により、現在日から生涯日までの予定や日記をエクセル（登録商標）を用いて容易に表示や記載ができ、コンパクトにまとめることができる。
【実施例１】
【００１３】
図２は図１のシートを用いた具体例を示すものであり、勿論、略式のものである。図示のように各種の予定が予め表示される。なお、図中における○，△，×，◎等は日記を表示するものである。
【００１４】
本考案は、以上の内容のものからなるが、予定の内容や日記の表示内容等に関しては以上の説明に限定するものではなく、各種多様のものが適用されることは勿論である。また、同一の技術的範疇のものが適用されることは勿論である。
【産業上の利用可能性】
【００１５】
本考案は、自己の予定や日記に関するもののみではなく、家族や団体等に対しても適用可能であり、その利用範囲は広い。
【符号の説明】
【００１６】
１  生涯予定・日記帳
【手続補正３】
【補正対象書類名】図面
【補正対象項目名】図１
【補正方法】変更
【補正の内容】
【図１】
0003158380.tif 000005
【手続補正４】
【補正対象書類名】図面
【補正対象項目名】図２
【補正方法】変更
【補正の内容】
【図２】
0003158380.tif 000006